(57)【要約】非磁性体を磁性材料から分離する方法及び装置が提供される。磁気分離装置は、磁界を生成する少なくとも１つの磁性素子を含む。前記磁気分離装置は更に、容器のネジ切り部分を螺合収容することにより、前記容器を第１支持部に、前記磁性素子に対して姿勢が一定の状態で強固に取り付けるネジ切り開口部を含む第１支持部を含む。前記ネジ切り開口部は、前記磁気分離装置を逆さまにしたときに前記容器を姿勢が一定の状態に保持する。
2014521503.tif 000002
【特許請求の範囲】
【請求項１】
磁気分離装置において：
磁界を生成するように構成される少なくとも１つの磁性素子と、
容器のネジ切り部分を螺合収容することにより、前記容器を第１支持部に、前記磁性素子に対して姿勢が一定の状態で強固に取り付けるように構成されるネジ切り開口部であって、前記磁気分離装置を逆さまにしたときに前記容器を姿勢が一定の状態に保持するように構成されるネジ切り開口部を含む第１支持部と、
を備える磁気分離装置。
【請求項２】
前記ネジ切り開口部は、前記第１支持部全体を貫通して延び、前記ネジ切り開口部は、前記容器を、姿勢が一定の状態で強固に吊り下げるように構成される、請求項１に記載の磁気分離装置。
【請求項３】
前記第１支持部はベースを備え、そして前記磁性素子は前記ベースに支持される、請求項１又は２に記載の磁気分離装置。
【請求項４】
更に、ベースを備え、そして前記磁性素子は前記ベースに支持される、請求項１乃至３のいずれか一項に記載の磁気分離装置。
【請求項５】
更に、前記第１支持部を含むキャリッジを備え、そして前記キャリッジは、前記ベースに対して取り付けられて、前記容器が、姿勢が一定の状態になるように構成される、請求項４に記載の磁気分離装置。
【発明の詳細な説明】
【関連出願の相互参照】
【０００１】
本出願は、２０１１年７月２９日に出願された米国仮特許出願第６１／５１３，２６５号の優先権の利益を米国特許法第１１９条に基づいて主張するものであり、この仮特許出願の内容は、本明細書で参照することにより、当該出願の内容全体が援用され、そして本明細書に組み込まれる。
【技術分野】
【０００２】
本発明は、分離装置及び方法に関するものであり、更に詳細には、磁気分離装置及び方法に関するものである。
【背景技術】
【０００３】
磁気ビーズを用いた分離操作を利用して容器内の所望の材料を分離することが知られている。更に詳細には、磁性材料を容器内の溶液中に投入することができる。次に、所望の材料を磁性材料に吸着させることができる。次に、磁気装置を用いて磁性材料を、吸着した所望の材料と共に、容器内の溶液から分離することができる。
【発明の概要】
【課題を解決するための手段】
【０００４】
以下に本開示の簡易な概要を提示して、詳細な説明に記載される幾つかの例示的な態様に関する基本的な理解が得られるようにしている。
【０００５】
本開示の１つの例示的な態様では、磁気分離装置が提供され、該磁気分離装置は、磁界を生成するように構成される少なくとも１つの磁性素子と、そして容器のネジ切り部分を螺合収容することにより、前記容器を第１支持部に、前記磁性素子に対して姿勢が一定の状態で強固に取り付けるように構成されるネジ切り開口部を含む第１支持部と、を備える。前記ネジ切り開口部は、前記磁気分離装置を逆さまにしたときに、前記容器を姿勢が一定の状態に保持するように構成される。
【０００６】
本開示の別の例示的な態様では、非磁性体を磁性材料から分離する方法が提供される。前記方法は、非磁性体及び磁性材料を容器の内部領域に投入する工程を含む。前記方法は更に、前記容器を、磁性素子に対して姿勢が一定の状態で強固に取り付ける工程と、そして前記磁性材料を前記容器の内側表面に、前記容器の姿勢が一定の状態で吸着する工程と、を含む。前記方法は更に、前記容器の配置を変えて、或る量の非磁性体を前記容器の内部領域から、或る量の磁性材料を前記内部領域内に保持しながら注ぎ出す工程を含む。前記容器は姿勢が一定の状態を、前記容器の配置を変えている状態で保持する。
【０００７】
これらの態様、及び他の態様は、以下の詳細な説明を添付の図面を参照しながら一読することにより一層深く理解される。
【図面の簡単な説明】
【０００８】
【図１】例示的な磁気分離装置の正面図である。
【図２】図１の磁気分離装置の上面図である。
【図３】図２の切断線３−３に沿った磁気分離装置の断面図である。
【図４】図２の切断線４ａ−４ａまたは４ｂ−４ｂのいずれかに沿った磁気分離装置の断面図である。
【図５】容器を図１の磁気分離装置のキャリッジに強固に取り付ける例示的な工程を示している。
【図６】図５のキャリッジをベースに取り付けて、容器が磁性素子に対して姿勢が一定の状態になる様子を示している。
【図７】第２支持部を図６の第１支持部に着脱可能に取り付ける任意の工程を示している。
【図８】図７の磁気分離装置の配置を変えて或る量の非磁性体を容器の内部領域から注ぎ出す例示的な工程を示している。
【図９】吸着材を利用して更に別の量の非磁性体を排出する任意の工程を示している。
【図１０】図１の磁気分離装置のベースに強固に取り付けられる容器を示している。
【図１１】図１０の磁気分離装置の磁性素子に対して姿勢が一定の状態で強固に取り付けられる容器を示している。
【図１２】図１１の磁気分離装置の配置を変えて或る量の非磁性体を容器の内部領域から注ぎ出す例示的な工程を示している。
【図１３】吸着材を利用して更に別の量の非磁性体を排出する方法を示している。
【発明を実施するための形態】
【０００９】
次に、種々の例について、例示的な実施形態が図示されている添付の図面を参照して、以下に更に完全に説明する。出来る限り、同じ参照番号をこれらの図面全体を通じて使用して、同じ、または同様の構成要素を指すようにしている。しかしながら、種々の態様は多くの異なる構成で具体化することができ、そして本明細書に開示される実施形態に限定されるものとして捉えられてはならない。
【００１０】
図１は、本開示の種々の態様を取り入れた磁気分離装置１０１の正面図を示している。磁気分離装置１０１は、所望の材料を非磁性体から磁性材料を利用して分離するように設計される種々の構造、サイズ、形状、または機能的特徴を含む多種多様な構成を含むことができる。磁気分離装置１０１は、プラスチックなどのような多数の異なる材料により形成することができる。
【００１１】
磁気分離装置１０１はキャリッジ１０３を含むことができる。キャリッジ１０３は、略平面状の第１表面１０５及び第２表面１０７を含むことができる（図１参照）。キャリッジ１０３は矩形形状を有することができる（図２参照）。キャリッジ１０３は、図示の例におけるサイズまたは形状に限定されないことを理解されたい。例えば、別の例では、キャリッジ１０３は、略方形、長円形、円形などを含むことができる。同様に、キャリッジ１０３は、略平面状である構成に限定されない。更に別の例では、第１表面１０５及び第２表面１０７のうちのいずれか、または両方は、第１表面１０５及び第２表面１０７のうちの他方に平行ではない平面に沿って延在することができる。１つの例では、第２表面１０７は、第２平面に平行ではない第１平面のような複数の平面を含むことができる。キャリッジ１０３は、プラスチックなどを含む多数の異なる材料を備えることができる。更に、キャリッジ１０３は、単一の一体形成構造を備えることができるか、または一体となってキャリッジ１０３を構成する多数の構造を備えることができる。
【００１２】
図２に示すように、キャリッジ１０３は、主支持部２０１及び補助支持部２０３を備えることができる。主支持部２０１及び補助支持部２０３は、互いに対して着脱可能に取り付けることができるので、主支持部２０１及び補助支持部２０３は別体部材を構成する。主支持部２０１は、補助支持部２０３を収容するサイズ及び形状とされる凹部、空洞などを含むことができる。
【００１３】
補助支持部２０３は主支持部２０１に対して着脱可能に取り付けることができる。詳細には、補助支持部２０３は主支持部２０１に対して選択的に取り付けることができる（図２及び３参照）か、または主支持部２０１から取り外すことができる（図６参照）。補助支持部２０３は、主支持部２０１の凹部に嵌め込まれるサイズ及び形状とすることができる。従って、補助支持部２０３を主支持部２０１に取り付ける場合、主支持部２０１及び補助支持部２０３は、互いにほぼぴったり重なって、略平面状の表面が形成される。補助支持部２０３は矩形形状とすることができるが、他のサイズ及び形状に構成されるようにしてもよい。例えば、補助支持部２０３は、サイズをより大きくするか、またはより小さくすることができ、そして／または方形形状、半円形状などのような多くの形状を採ることができる。主支持部２０１内の凹部は、補助支持部２０３の形状に一致するサイズ及び形状とすることができることを理解されたい。従って、１つの例では、主支持部２０１内の凹部は矩形形状を、補助支持部２０３が同様の矩形形状を有することができる場合に有することができる。
【００１４】
主支持部２０１及び補助支持部２０３は互いに対して、任意の数の取り付け構造を利用して、着脱可能に取り付けるように取り付けることができる。１つの例では、舌部／溝構造を設けることができ、この場合、これらの支持部のうちの一方が舌部を含み、そしてこれらの支持部のうちの他方が溝を含む。例えば、図３に示すように、主支持部２０１が溝３０３を含むことができるのに対し、補助支持部２０３は舌部３０１を含むことができる。舌部３０１は、補助支持部２０３の側面から突出することができる。舌部３０１は、補助支持部２０３の内周面から部分的に突出するか、または補助支持部２０３の内周面全体から突出することができる。舌部３０１が１つだけ、補助支持部２０３の内周面から部分的に突出するか、または補助支持部２０３の内周面全体から突出するように設けることができるか、または複数の舌部が、補助支持部２０３の内周面から部分的に突出するか、または補助支持部２０３の内周面全体から突出するように設けることができる。舌部３０１は、補助支持部２０３の側面に、主支持部２０１の溝３０３に接触し、そして嵌め込まれるように設けることができる。従って、舌部３０１は、補助支持部２０３の１側面、２側面、または３側面に沿って設けられて外側に突出することができる。舌部３０１は、図示の方形形状を有することができるか、または三角形、矩形などのような多種多様な他の形状を有することができる。
【００１５】
主支持部２０１は、凹部の内周面に沿って部分的に延在するか、または当該内周面全体に沿って延在することができる溝３０３を含むことができる。溝３０３は、補助支持部２０３の舌部３０１のサイズ及び形状に一致する、またはサイズ及び形状よりも僅かに大きいサイズ及び形状とすることができる。溝３０３は、凹部の内周面から内側に突出して主支持部２０１の内側部分に向かって入り込むことができる。溝３０３は、舌部３０１の位置に一致する凹部の構成部分に沿って延在することができる。例えば、舌部３０１が補助支持部２０３の３側面に沿って延在する場合、溝３０３は、凹部の全ての３側面に沿って延在することができる。従って、舌部３０１は、補助支持部２０３が主支持部２０１に取り付けられると、溝３０３に嵌め込むことができ、そして溝３０３内に突出することができる。
【００１６】
別の例では、スナップ接続、ラッチ機構、または他の取り付け機構を用いて、主支持部２０１を補助支持部２０３に取り付けることができる。更に、着脱可能な取り付けを行なうことができ、この場合、補助支持部２０３は主支持部２０１から、取り付け後、或る時間が経過した後に、続いて取り外すことができる。更に、取り付けは、主支持部２０１と補助支持部２０３との間の相対移動を防止するように、相対移動を制限することができる。例えば、舌部／溝構造により、取り付け工程中の摺動を可能にしながら、１つの方向の移動を防止するか、または制限することができる。更に、一旦、適切な位置に置かれると、スナップ接続を行なって、補助支持部が主支持部から、取り付けて間もなく外れてしまう現象を阻止し易くすることができる。別の例では、取り付けは、永久に外れることがないように行なうことができ、この場合、一旦、取り付けられると、補助支持部を主支持部から取り外す作業は、これらの支持部を壊さないと不可能となる。
【００１７】
更に別の例では、補助支持部は、設けるかどうかが任意の構成要素とすることができるか、または全く設けないようにすることができる。従って、支持部全体が単一の支持部を構成することができる。別の構成として、補助支持部は、任意の取り付け部材として設けて、分離手順が同時に行なわれる可能性がある容器の数を増やすことができる。
【００１８】
図２に示すように、キャリッジ１０３は更に、１つ以上の開口部２０５を含むことができる。１つの例では、１つ以上の開口部２０５は、キャリッジ１０３（図３参照）内を、第１表面１０５から第２表面１０７に達して完全に貫通するように延在させることができる。１つの例では、これらの開口部２０５は円形形状を有することができるが、他の形状を別の例において用いてもよい。更に、これらの開口部は、略同一の寸法（例えば、円形の場合の内径）を有することにより、同様または同一のサイズの容器を収容することができる。別の構成として、これらの開口部は、異なる寸法（例えば、異なる内径）を有することにより、異なるサイズを有する容器の処理が可能になる。図示のように、１つ以上の開口部２０５は、容器に強固に取り付けられる構造を含むことができる。例えば、図示のように、これらの開口部２０５はそれぞれ、図示の内ネジを、１つ以上の開口部２０５の内側表面に沿って含むことができる。従って、図示の例では、１つ以上の開口部２０５は、ネジ切り開口部を備えることができるが、他の固定化構造を別の例において設けてもよい。
【００１９】
１つ以上の開口部２０５は、複数の開口部２０５、更に詳細には、１２個の開口部を含むものとして図示されているが、任意の数の１つ以上の開口部を本開示の態様に従って設けてもよい。１つ以上の開口部２０５の１つの構成部分を第１軸２０７ａに沿って並んで設けることができるのに対し、１つ以上の開口部２０５の別の構成部分は、別の第２軸２０７ｂに沿って並んで設けることができる。図２に示すように、１つ以上の開口部２０５のうちの６個の開口部からなる第１の集合体は、主支持部２０１に配置される略直線状の第１軸２０７ａに沿って並んで設けることができる。１つ以上の開口部２０５のうちの６個の開口部からなる第２の集合体は、補助支持部２０３に配置される略直線状の第２軸２０７ｂに沿って並んで設けることができる。１つ以上の開口部２０５は、直線状の軸に沿って並んで設ける構成に限定されず、例えばジグザグに並べるなどすることにより非直線状の軸に沿って並んで設けることができる。
【００２０】
１つ以上の開口部２０５は、図示の１２個の開口部に限定されず、そしてもっと多くの開口部、またはもっと少ない開口部を含むことができる。例えば、１つ以上の開口部２０５からなる第１の集合体は、６個よりも多くの開口部、または６個よりも少ない開口部を含むことができるとともに、１つ以上の開口部２０５からなる第２の集合体も同様に、６個よりも多くの開口部、または６個よりも少ない開口部を含むことができる。１つ以上の開口部２０５の各開口部は、隣接する開口部２０５から離間配置することができる。１つの例では、隣接する開口部２０５の間隔は、約１８ミリメートルとすることができるが、多種多様な距離が想到される。更に、図示のように、これらの開口部２０５の間隔は同一であるが、異なる間隔を別の例において設定してもよい。
【００２１】
図４に示すように、キャリッジ１０３は更に、複数脚部４０１を含むことができる。これらの脚部４０１は、キャリッジ１０３に単一部材として一体的に形成することができるか、または別の構成として、別々に取り付けることができる。図示のように、これらの脚部４０１は第１表面１０５に、例えば図示の螺合接続により取り付けることができ、そして第１表面１０５から外側に突出することができる。これらの脚部４０１は、キャリッジ１０３の両側端部に配置することができるが、これらの脚部は、キャリッジの中心部のような他の位置に配置してもよい。これらの脚部４０１は、任意の本数の脚部を含むことができる。例えば、図４は、２本の脚部が一方の端部に配置され、そして２本の脚部が反対側の端部に配置される構成の合計４本の脚部を備える例を示している。しかしながら、これらの脚部４０１は、広範囲の位置にある合計２本以上の脚部とすることができる。２本以上の脚部を設けると、キャリッジの回転を阻止し易くすることができる。別の例では、脚部を１本だけ設けてもよい。このような例では、当該脚部は、非円形形状を有することにより、磁気分離装置１０１の他の構成部分に対するキャリッジの相対回転を防止することができる。このように、これらの脚部４０１は、設けるとした場合に、多種多様なサイズ、形状、及び長さを持つことができ、そして図示の例に限定されない。
【００２２】
図１に戻ってこの図を参照するに、磁気分離装置１０１は更に、ベース１０９を含むことができ、このベース１０９は、１つの例では、キャリッジ１０３に着脱可能に取り付けることができる。ベース１０９は支持構造１１１（図３参照）を含むことができる。支持構造１１１は、略平面構造を有することができるが、非平面形状を用いてもよい。平面構造は、磁気分離装置１０１をテーブルのような平坦面で支持することになる例において望ましい。このような例では、磁気分離装置１０１によって支持される複数容器の姿勢は、分離時に所望の姿勢になるように調整するか、または所望の姿勢に維持することができる。従って、支持構造１１１は、第１面１１３と、そして第１面１１３とは反対側にある第２面１１５と、を含むことができる。１つの例では、少なくとも第２面１１５は略平面とすることができるので、第２面１１５を平坦面に載置することができ、かつ第２面１１５で磁気分離装置１０１を支持することができる。
【００２３】
支持構造１１１は、矩形形状を有することができるが、他のサイズ及び形状が想到される。１つの例では、支持構造１１１は、矩形キャリッジ１０３のサイズ、形状、長さ、及び／又は幅とほぼ同様の、またはほぼ同一のサイズ、形状、長さ、及び／又は幅を持つことができる。別の例では、支持構造１１１は、略方形、長円形、円形などを有することができる。
【００２４】
キャリッジ１０３のこれらの開口部２０５の他に、またはキャリッジ１０３のこれらの開口部２０５の代わりに、図３に示すように、ベース１０９の支持構造１１１は更に、または別の構成として、１つ以上のベース開口部３０５を含むことができる。これらのベース開口部３０５は、支持構造１１１の第１面１１３に配置することができ、そして支持構造１１１の厚さの一部にわたって、または厚さ全体にわたって延びることができる。図示の例では、これらのベース開口部３０５は、支持構造１１１の表面にある第１面１１３から支持構造１１１の内側部分にまで延びることができる。これらのベース開口部３０５は、キャリッジ１０３の１つ以上の開口部２０５とほぼ同様の、またはほぼ同一の構造とすることができる。例えば、これらのベース開口部３０５は、円形形状を有することができる。これらのベース開口部３０５は更に、これらのベース開口部３０５の内側表面に沿って配置されるネジを含むことにより、これらのベース開口部３０５はネジ切り開口部を備えることができる。これらのベース開口部３０５は、雌ネジを含むものとして図示されているが、開口部２０５の場合と同じように、図示の構造に限定されない。
【００２５】
これらのベース開口部３０５は、図２のキャリッジ１０３の１つ以上の開口部２０５のパターンに従って配置することができる。詳細には、１つ以上の開口部２０５の各開口部の中心を通って延びる軸は、支持構造１１１に配置されるこれらのベース開口部３０５のうちの１つのベース開口部３０５の中心を通って延びることができる。従って、これらのベース開口部３０５は、１つ以上の開口部２０５の真下に配置することができる。従って、以下に更に完全に説明するように、開口部２０５，３０５の何れかを用いて、容器の位置合わせを適切に行なうことができる。更に、図示の例は、キャリッジ開口部２０５及びベース開口部３０５の両方を含む磁気分離装置を示しているが、別の例では、磁気分離装置は、ベース開口部３０５のみを含むか、またはキャリッジ開口部２０５のみを含むようにしてもよい。更には、着脱可能なキャリッジ１０３を図示しているが、別の例では、ベースと一体化されるか、またはその他として、ベースに取り付けられる支持部材を設けてもよい。このような例では、これらの開口部２０５は、磁気分離装置全体との一体形成部分とすることができ、この場合、これらの開口部は、キャリッジを備える構成の例において設けることができる磁石に対して移動させる必要がない。
【００２６】
図１に示すように、ベース１０９には、一対の側方支持部材１１７を配設することができる。配設される場合、これらの側方支持部材１１７は、支持構造１１１の第１面１１３から、第１面１１３から離れて延出する方向に延びることができる。これらの側方支持部材１１７は、支持構造１１１の両側端部に配置することができる。これらの側方支持部材１１７は、開放空間領域がこれらの側方支持部材１１７の間を延びることができるように配置される。全ての例において必要である訳ではないが、これらの側方支持部材１１７によって、剛性を高めることができ、そして／または磁気分離装置に固定される容器を保護し易くすることができる。
【００２７】
これらの側方支持部材１１７は、配設される場合には更に、キャリッジ１０３のこれらの脚部４０１を収容する１つ以上の脚開口部４０３を含むことができる。これらの脚開口部４０３は、凹部、開口部、開口領域などを含むことができ、そしてこれらの側方支持部材１１７の厚さの一部にわたって延びることができる。これらの脚開口部４０３は、これらの脚部４０１を収容するサイズ及び形状とすることができ、そしてこれらの脚部４０１よりも僅かに大きいサイズにして、これらの脚部４０１とこれらの脚開口部４０３がぴったり合うようにすることができる。同様に、支持構造１１１のこれらの脚開口部４０３の数は、キャリッジ１０３に設けられるこれらの脚部４０１の数に等しくするか、またはこれらの脚部４０１の数よりも多くすることができる。脚開口部を脚部よりも多く設けることにより、任意の装着能力をキャリッジ１０３に持たせることができる。別の構成として、脚部と同じ数の脚開口部を設けることにより、容器を磁石部材に対して正しく位置合わせする操作を確実に行なうことができる。
【００２８】
これらの脚部４０１は、これらの脚開口部４０３に対して選択的に挿入し、そして取り外すことができる。例えば、これらの脚部４０１がこれらの脚開口部４０３に、取り付け位置のような位置で挿入される場合、キャリッジ１０３はベース１０９に取り付けられる。取り付け位置では、キャリッジ１０３の横方向移動が制限され、そして幾つかの例では、キャリッジ１０３は、垂直方向に選択的に移動するように設計することができる。１つの例では、キャリッジ１０３は、ラッチ係合により所定の位置に保持され、この位置では、当該キャリッジは、これらの脚部４０１がこれらの脚開口部４０３から滑って出て行く垂直移動に逆らう。必要に応じて、当該キャリッジのラッチ係合を解除して、キャリッジ１０３をベース１０９から、キャリッジ１０３を、例えば脚部４０１及び脚開口部４０３が延びる方向に対して縦走する方向に持ち上げることにより移動させて取り外すことができる。このように、キャリッジ１０３は、ベース１０９に対して、装着位置と着脱位置との間で移動させることができる。
【００２９】
図１に示すように、ベース１０９は更に、中心支持部材１１９を含むことができる。中心支持部材１１９は、支持構造１１１の第１面１１３から、第１面１１３と略直交する方向に延びることができる。中心支持部材１１９は、これらの任意の側方支持部材１１７の間を延びることができる。更に詳細には、中心支持部材１１９は、これらの側方支持部材１１７のうちの一方の側方支持部材に一方の端部で、そしてこれらの側方支持部材１１７のうちの他方の側方支持部材に反対側の端部で取り付けることができ、そして／または一体的に形成することができる。中心支持部材１１９は、支持構造１１１の長さに沿って延びることができる。１つの例では、中心支持部材１１９は、支持構造１１１の中間点から突出することができる（図３参照）。しかしながら、中心支持部材１１９は、別の例では、支持構造１１１の中間点からずらすことができることを理解されたい。中心支持部材１１９は、支持構造１１１及び／又は側方支持部材１１７と合体した単一部品として形成することができる、または別体部品として取り付けることができる。これらの側方支持部材１１７と同様に、中心支持部材１１９は、支持構造１１１及び／又は側方支持部材１１７に、接着剤、ねじ、スナップ嵌合手段などのような任意の数の取り付け構造を用いて取り付けることができる。
【００３０】
図１及び３を参照するに、中心支持部材１１９は更に、１つ以上の磁石開口部１２１を含むことができる。これらの磁石開口部１２１は、中心支持部材１１９の横幅の一部にわたって延びるか、または中心支持部材１１９の横幅全体にわたって延びることができる。図示のように、第１行及び第２行の各行は、６個の磁石開口部１２１を含むことができる。これらの磁石開口部１２１は、分離軸１２５ａにより定義される列に並んで、６列になるように配置することができる。詳細には、第１行の磁石開口部１２１は、第２行の磁石開口部１２１よりも上方に、分離軸１２５ａがこれらの２つの磁石開口部１２１を通って延びるように配置することができる。同様に、別の一対の磁石開口部１２１は、第１分離軸１２５ａに隣接する別の分離軸１２５ｂに沿って並べることができる。分離軸１２５ａ、１２５ｂは、第１表面１０５及び第１面１１３に直交することができる。分離軸１２５を１つしか示していないが、磁石開口部群１２１を有するこれらの列の各列は、対応する分離軸とほぼ同一の方向を向いていることを理解されたい。更に、１つ以上の開口部２０５のうちの１つの開口部２０５、及び１つ以上のベース開口部３０５のうちの１つのベース開口部３０５は、これらの磁石開口部１２１からなる列に揃えて並べることができる。従って、対応する分離軸１２５ａ、１２５ｂは、１つの開口部２０５、１つのベース開口部３０５、及び２つの磁石開口部１２１の各々を通って延びることができる。
【００３１】
磁石開口部１２１の数、及び磁石開口部１２１の行数は、本明細書に記載される例に限定されないことを理解されたい。例えば、より多くの磁石開口部１２１、またはより少ない磁石開口部１２１が想到される。同様に、磁石開口部１２１からなる行の行数を２行よりも多い行数とする構成、または磁石開口部１２１からなる行の行数が１行しかない構成も想到される。
【００３２】
図１及び３に示すように、ベース１０９は、１つ以上の磁性素子１２３を支持することができる。これらの磁性素子１２３は、ベース１０９の中心支持部材１１９に、これらの磁性素子をこれらの磁石開口部１２１に挿入することにより取り付けることができる。これらの磁性素子１２３は、これらの磁石開口部１２１の直径よりも僅かに大きい直径を有するサイズとすることができる。従って、これらの磁性素子１２３は、抜け落ちることがないようにこれらの磁石開口部１２１に圧入するか、またはその他として、固定することができる。別の例では、取り付け構造により、これらの磁性素子１２３をこれらの磁石開口部１２１に取り付け易くすることができる。取り付け構造は、これらの磁性素子１２３をこれらの磁石開口部１２１に取り付ける際の支持力を増すことができる接着剤、エポキシ、スナップ嵌合手段などを含むことができる。これらの磁性素子１２３は、中心支持部材１１９内に配置される構成に限定されないことを理解されたい。別の例では、側方支持部材１１７のうちの１つ以上の側方支持部材、及び／又は支持構造１１１が、１つ以上の磁性素子１２３を含むことができる。
【００３３】
一旦、これらの磁石開口部１２１に取り付けられると、これらの磁性素子１２３は、これらの磁石開口部１２１と同じ位置に配置される。更に詳細には、これらの磁性素子１２３は、２つの磁性素子１２３が各列に含まれるように複数列に揃えることができる。従って、第１磁性素子１２３は第２磁性素子よりも上方に、分離軸１２５が２つの磁性素子１２３を通って延びるように配置することができる。従って、上に説明したように、分離軸１２５は、１つの開口部２０５、１つのベース開口部３０５、及び２つの磁性素子１２３を有する列の各々を通って延びることができる。複数の磁性素子１２３を分離軸１２５に沿って設けることにより、以下に図６を参照して説明され、かつ図示される比較的長い容器５０１からの磁性材料６０３の分離の容易さを助長することができる。更に、複数の磁性素子１２３が分離軸１２５に沿って並んでいることにより、比較的短い容器を使用することができる。例えば、図６を参照すると、ずっと短い容器５０１を使用することができ、この場合、上側磁性素子１２３は、比較的短い容器からの磁性材料の分離を容易にするために一層効果的となり得る。更に、これらの磁性素子１２３のうちの少なくとも１つの磁性素子は、容器の下側端部に隣接して配置されるように設計することができる。従って、これらの磁性素子１２３は、回収を行なう磁性材料に、容器の底部の近傍で、重力の影響を受けながら作用することにより、これらの磁石を一層効果的に活用することができる。
【００３４】
更に、図３に示すように、これらの磁性素子１２３の両端部は、中心支持部材１１９の対応する表面と同一平面を形成するようにすることができる。別の例では、これらの磁性素子１２３の両端部は、中心支持部材１１９の対応する表面の内側に凹ませてもよい。更に別の例では、これらの磁性素子１２３の両端部は、中心支持部材１１９の対応する表面から突出させてもよい。幾つかの例では、これらの磁性素子１２３は、これらの磁性素子１２３の両端部が、中心支持部材１１９のこれらの表面から所定距離だけ突出するように取り付けることができる。従って、これらの磁性素子１２３の両端部は、幾つかの例では、以下に説明する容器５０１に当接するか、または容器５０１の直ぐ傍に隣接して配置されて、以下に説明するように、磁性材料６０３の吸着の容易さを助長するように設計することができる。
【００３５】
これらの磁性素子１２３は、磁界を形成することができる多数の異なる磁性材料を含むことができる。例えば、これらの磁性素子１２３は、永久磁石、電磁石、希土類磁石などを含むことができる。同様に、複数の磁性素子１２３が図示の例に示されているが、そのようにするのではなく、磁性素子を１つだけ設けることができることを理解されたい。これらの磁性素子１２３をベース１０９に取り付けることにより、磁界を形成することができる。図３に示すように、磁界を中心支持部材１１９の両側に生じさせるために磁石を１個だけ設けることができるが、別の例では、複数の磁石を設けてもよい。
【００３６】
図５〜７を参照するに、磁気分離装置１０１は容器５０１を収容する。容器５０１は、物質を保持することができる多種多様な構造を含むことができる。容器５０１は、略円形とすることができ、そして内部領域を取り囲む壁を有することができる。容器５０１は、一方の端部に配置される開口部５０３を含むことができるので、内部領域６０５には、当該開口部５０３を通って接近することができる。図示の例では、容器５０１は更に、ネジ切り部分５０５を含むことができる。ネジ切り部分５０５は、容器５０１の何れかの端部、または両方の端部に配置することができる。例えば、ネジ切り部分５０５は、容器５０１のうち、開口部５０３に隣接する方の端部に配置することができる（図５参照）。別の例では、容器１００１は、容器１００１のうち、開口部１００５とは反対側にある端部に配置されるネジ切り部分１００３を含むことができる（図１０参照）。更に別の例では、容器の両方の端部が、ネジ切り部分を含むことができる。
【００３７】
ネジ切り部分５０５，１００３は、キャリッジ１０３の１つ以上の開口部２０５、またはベース１０９のベース開口部３０５の何れかに螺合して収容されるサイズとすることができる。例えば、ネジ切り部分５０５，１００３が１つ以上の開口部２０５、またはベース開口部３０５に収容される場合、容器５０１，１００１は、キャリッジ１０３から強固に吊り下げることができる（例えば、図６〜７参照）、またはベース１０９で強固に支持することができる（例えば、図１１参照）。強固に吊り下げるか、または強固に支持することにより、容器５０１，１００１が、キャリッジ１０３及び／又はベース１０９から誤って外れるのを防止することができる。更に、容器５０１，１００１の揃えられた向きは、分離が容器内で行なわれた後に液体を注ぎ出しながら維持することができる。１つの例では、ネジ切り部分５０５，１００３が雄ネジ部を含むことができるのに対し、１つ以上の開口部２０５、及びベース開口部３０５は、螺合雌ネジ部を含むことができる。従って、容器５０１，１００１のネジ切り部分５０５，１００３は、キャリッジ１０３またはベース１０９の何れかに、ネジ切り部分５０５，１００３を、１つ以上の開口部２０５、またはベース開口部３０５のうちの一方にねじ込むことにより取り付けることができる。一旦、ネジ切り部分５０５，１００３が、１つ以上の開口部２０５、またはベース開口部３０５に螺合して収容されると、容器５０１，１００１はキャリッジ１０３またはベース１０９に強固に取り付けられる。
【００３８】
次に、図６及び７を参照するに、容器５０１，１００１は、液体、流体、固体などのような材料を、開口部５０３，１００５を介して収容することができる。一旦、材料が開口部５０３，１００５を介して投入されると、当該材料を内部領域６０５内に保持することができる。当該材料は、非磁性体６０１及び磁性材料６０３のいずれか、または両方を含む混合物を含むことができる。非磁性体６０１は、液体、流体などのような多種多様な材料を含むことができる。例えば、非磁性体６０１は、これらには限定されないが、核酸導入細胞のアッセイ、抗体／タンパク質精製などのような血液、尿、組織、細胞、高分子のような生体液を含むことができる。磁気ビーズなどを含むことができる磁性材料６０３を非磁性体６０１に加えて、容器５０１，１００１に投入することができる。非磁性体６０１及び磁性材料６０３を投入した後、磁性材料６０３は、所望の材料を非磁性体６０１から吸着することができる。所望の材料を磁性材料６０３に吸着させることができるので、所望の材料が非磁性体６０１から分離されるようになる。
【００３９】
次に、非磁性体６０１を磁性材料６０３から分離する方法について、図５のキャリッジ１０３を参照しながら説明することができる。図示のように、非磁性体６０１及び磁性材料６０３を内部領域６０５内に保持する容器５０１をまず、提供することができる。非磁性体６０１または磁性材料６０３のいずれかをまず、容器５０１に開口部５０３を介して投入するか、または別の構成として、非磁性体６０１及び磁性材料６０３を一括して同時に、例えば混合物として投入することができる。非磁性体６０１及び磁性材料６０３は相互に反応することができるので、所望の材料を含むことができる或る量の非磁性体６０１を磁性材料６０３に付着させる、そして／または磁性材料６０３と結合するようにすることができる。
【００４０】
キャリッジ１０３を任意であるが、まず、ベース１０９から外れた状態を保ちながら表面５１１に載せることができる。エンドキャップ５０７を容器５０１のネジ切り部分５０５から取り外すことができる。容器５０１をキャリッジ１０３の１つ以上の開口部２０５のうちの１つの開口部２０５に位置合わせすることができる。容器５０１を方向５０９に回転させて、ネジ切り部分５０５が１つ以上の開口部２０５のうちの１つの開口部２０５に回転可能に螺合させることができる。方向５０９は、時計回り、または反時計回りとすることができ、そして図示の例における矢印は、この例に限定されないことを理解されたい。容器５０１は、容器５０１が、キャリッジ１０３に強固に取り付けられるまで回転させ続けることができる。従って、容器５０１はキャリッジ１０３に、ネジ切り部分５０５を主支持部２０１または補助支持部２０３のいずれか、または両方のネジ切り開口部２０５にねじ込むことにより強固に取り付けることができる。一旦、容器５０１がキャリッジ１０３に強固に取り付けられると、容器５０１の開口部５０３は、キャリッジ１０３の開口部２０５内に、少なくとも部分的に挿通されるように延出することができる。別の例では、容器５０１をキャリッジ１０３にねじ込んで、開口部５０３を画定する縁部が、第２表面１０７と略同一表面を形成するようにすることができる。この例では、開口部５０３は、第２表面１０７を通り過ぎて延出することがないので、第２表面１０７及び開口部５０３の縁部は略平坦面を形成する。
【００４１】
次に、図６を参照するに、当該方法は次に、任意であるが、容器５０１を、これらの磁性素子１２３に対して姿勢が一定の状態で強固に取り付ける工程に進む。容器をキャリッジ１０３に強固に取り付けた後、キャリッジ１０３をベース１０９に、例えば脚部４０１を脚開口部４０３に挿入することにより取り付けることができる。一旦、取り付けられると、容器５０１は、これらの磁性素子１２３に対して姿勢が一定の状態を保持することができる。図示のように、容器５０１は、主支持部２０１から支持構造１１１の方に向かって突出することができる。当該容器は、当該容器が、これらの磁性素子１２３に近接する状態で、中心支持部材１１９の１つの側面に沿って延びることができる。従って、姿勢が一定の状態では、容器５０１は、容器５０１が、これらの磁性素子１２３に十分近接して配置されるように分離軸１２５に平行に、かつ分離軸１２５に沿って突出することができるので、容器５０１の内容物の少なくとも一部を磁界内に置くことができる。この例では、姿勢が一定の状態では、非磁性体６０１及び磁性材料６０３のいずれか、または両方を含む容器５０１の内容物は、磁界及びこれらの磁性素子１２３の影響を受けることができる。
【００４２】
次に、図７を参照するに、当該方法は次に、任意であるが、補助支持部２０３を主支持部２０１に取り付ける工程に進むことができる。図６は補助支持部２０３を含んでいないが、補助支持部２０３を設けるかどうかは任意である、または別の構成として、キャリッジ１０３は補助支持部２０３を含まなくてもよいことを理解されたい。図７に示す例では、容器５０１は、補助支持部２０３に強固に取り付けることができる。しかしながら、別の例では、補助支持部２０３は容器５０１を含まないようにすることができ、そして補助支持部２０３を、これらの開口部２０５のうちの幾つかの、または全ての開口部に、容器５０１が保持されない状態の主支持部２０１に取り付けることができることを理解されたい。従って、補助支持部２０３及び／又は主支持部２０１に取り付けられる容器５０１が在るかどうかに関係なく、補助支持部２０３を主支持部２０１に取り付けることができる。
【００４３】
補助支持部２０３は主支持部２０１に、補助支持部２０３を、中心軸３０７（図３参照）に直角に挿入することにより取り付けることができる。補助支持部２０３をまず、主支持部２０１の凹部に位置合わせすることができる。次に、補助支持部２０３を、主支持部２０１の方に向かって、中心軸３０７と直交する方向のような直角方向に移動させることができる。補助支持部２０３を主支持部２０１に、溝３０３に舌部３０１が収容されるまで移動させることにより嵌め込むことができる。一旦、舌部３０１の一部、または全体が溝３０３に入り込むと、補助支持部２０３は主支持部２０１に取り付けられる。
【００４４】
補助支持部２０３が１つ以上の容器５０１を含む場合、１つ以上の容器は、一旦、補助支持部２０３が主支持部２０１に取り付けられると、姿勢が一定の状態になることができる。図６を参照して上に説明した例と同様に、補助支持部２０３に取り付けられるこれらの容器５０１は、分離軸１２５ａ，１２５ｂに平行に、かつこれらの分離軸に沿って突出することができるので、これらの容器５０１は、これらの磁性素子１２３に十分近接して配置されて、これらの容器５０１の内容物の少なくとも一部を磁界内に置くことができる。従って、姿勢が一定の状態では、補助支持部２０３に保持され、かつ非磁性体６０１及び磁性材料６０３の何れか、または両方を含むこれらの容器５０１の内容物は、磁界及びこれらの磁性素子１２３の影響を受けることができる。
【００４５】
次に、図６及び７を参照するに、当該方法は次に、任意であるが、これらの容器５０１の姿勢が一定の状態で、磁性材料６０３を容器５０１の内側表面に吸着させる工程に進むことができる。非磁性体６０１及び磁性材料６０３はそれぞれ、磁界、及びこれらの磁性素子１２３の影響を、姿勢が一定の状態で受けることができるので、磁性材料６０３をこれらの磁性素子１２３の方に向かって吸着することができる。図示のように、磁性材料６０３は、内部領域６０５を取り囲み、かつこれらの磁性素子１２３に最も近接する内側表面に蓄積することができる、または当該内側表面の近傍に蓄積することができる。磁性材料６０３は、容器５０１の一部に沿って、または容器５０１のほぼ全長に沿って内側表面に蓄積することができる。
【００４６】
次に、図８を参照するに、当該方法は次に、任意であるが、或る量の磁性材料６０３を内部領域６０５内に保持しながら、容器５０１の配置を変えて、或る量の非磁性体６０１を内部領域６０５から注ぎ出す工程に進むことができる。磁気分離装置１０１の配置は、例えば磁気分離装置１０１を回転させるか、または逆さまにすることにより変えることができる。磁気分離装置１０１の配置を変える場合、容器がキャリッジ１０３に取り付けられているので、容器５０１の配置も変えることができる。容器５０１は、容器５０１がキャリッジ１０３に強固に取り付けられているので、配置を変える、回転させる操作などを行なっている状態でも、姿勢が一定の状態を保持することができる。従って、姿勢が一定の状態では、磁性材料６０３は、非磁性体６０１を注ぎ出す場合でも、容器５０１の内側表面に吸着されたままの状態を保持することができる。
【００４７】
容器５０１の配置を変える場合、磁性材料６０３は、或る量の非磁性体６０１を容器５０１から開口部５０３を介して注ぎ出すことができながら、容器５０１の内側表面に吸着されたままの状態を保持することができる。所望の材料を含むことができる別の量の非磁性体６０１は、容器５０１内の磁性材料６０３に吸着されたままの状態を保持することができる。このように、或る量の非磁性体６０１が、第２の量の非磁性体が容器５０１の内側表面の磁性材料６０３に吸着されたままの状態で注ぎ出される。
【００４８】
或る量の非磁性体６０１を注ぎ出して、受容容器８０１に流入させることができる。受容容器８０１は、単に概略的／模式的に図示されており、本明細書に開示される例に限定されない。例えば、受容容器８０１は、ほぼ任意の種類の容器（例えば、皿、管、瓶など）を含むことができる。同様に、受容容器８０１が１つだけ図示されているが、複数の受容容器を、受容容器８０１が１つ以上の受容容器を備えることができるように設けることができる。
【００４９】
次に、図９を参照するに、当該方法は次に、任意であるが、或る量の非磁性体６０１を吸着材９０１に付着させる工程に進むことができる。大部分の非磁性体６０１が容器５０１から排出された後、余分の量の非磁性体６０１を更に容器５０１から排出することができる。この例では、吸着材９０１は、これらの開口部５０３のうちの１つ以上の開口部の下に設けることができ、そして配置することができる。ユーザは、磁気分離装置１０１を揺動する、叩く、そして／または動かすことにより、余分の量の非磁性体６０１を開口部５０３から注ぎ出して、吸着材９０１に付着させることができる。同時に、容器５０１は、強固に取り付けられているので、姿勢が一定の状態を保持することができることにより、磁性材料６０３は、容器５０１の内側表面に吸着されたままの状態を保持することができる。
【００５０】
次に、図１０〜１３を参照するに、非磁性体６０１を磁性材料６０３から分離する更に別の例示的な方法について、以下に説明することができる。この例示的な方法では、容器１００１は、キャリッジ１０３ではなく、ベース１０９に取り付けることができる。取り付け工程、及び注出工程は、上に説明した工程と略同じとすることができ、そして／または略同一とすることができ、以下に詳細に説明される。
【００５１】
図１０に示すように、容器１００１は、開口部１００５を第１端部に、そしてネジ切り部分１００３を反対側の第２端部に含むことができる。容器１００１をまず、非磁性体６０１及び磁性材料６０３を内部領域６０５内に保持するように提供することができる。非磁性体６０１または磁性材料６０３のいずれかを最初に、容器１００１に開口部１００５を介して投入することができる、または別の構成として、非磁性体６０１及び磁性材料６０３を一括して同時に、例えば混合物として投入することができる。非磁性体６０１及び磁性材料６０３は相互に反応することができるので、所望の材料を含むことができる或る量の非磁性体６０１を磁性材料６０３に付着させる、そして／または磁性材料６０３と結合するようにすることができる。
【００５２】
ベース１０９を最初に表面に、キャリッジ１０３から外れた状態を保ちながら載せることができるが、キャリッジは使用しなくてもよい。エンドキャップ５０７（図５参照）は、容器１００１のネジ切り部分１００３から取り外すことができる。容器１００１は、ベース１０９の１つ以上のベース開口部３０５のうちの１つのベース開口部に位置合わせすることができる。容器１００１は、ネジ切り部分１００３が１つ以上のベース開口部３０５のうちの１つのベース開口部に回転可能に螺合する方向５０９に回転させることができる。容器１００１は、容器１００１がベース１０９に強固に取り付けられるまで回転させ続けることができる。従って、容器１００１はベース１０９に、ネジ切り部分１００３をベース１０９のベース開口部３０５にねじ込むことにより強固に取り付けることができる。
【００５３】
次に、図１１を参照するに、当該方法は次に、任意であるが、容器１００１を、磁性素子群１２３に対して姿勢が一定の状態で強固に取り付ける工程に進むことができる。容器１００１をベース１０９に強固に取り付けた後、キャリッジ１０３を任意であるが、ベース１０９に、例えば脚部４０１を脚開口部４０３に挿入することにより取り付けることができる。一旦、取り付けられると、容器１００１は、これらの磁性素子群１２３に対して姿勢が一定の状態を保持することができる。図示のように、容器１００１は、容器１００１がこれらの磁性素子群１２３に近接するように、中心支持部材１１９の側面に沿って延びることができる。従って、姿勢が一定の状態では、容器１００１は、分離軸１２５ａ，１２５ｂに平行に、かつ分離軸１２５ａ，１２５ｂに沿って突出することができるので、容器１００１がこれらの磁性素子群１２３に十分近接して配置されて、容器１００１の内容物の少なくとも一部を磁界内に置くことができる。この例では、姿勢が一定の状態では、非磁性体６０１及び磁性材料６０３のいずれか、または両方を含む容器１００１の内容物は、磁界及びこれらの磁性素子群１２３の影響を受けることができる。
【００５４】
図１１を参照し続けると、当該方法は次に、任意であるが、磁性材料６０３を容器１００１の内側表面に、容器１００１の姿勢が一定の状態で吸着させる工程に進むことができる。非磁性体６０１及び磁性材料６０３はそれぞれ、磁界及びこれらの磁性素子１２３の影響を、姿勢が一定の状態で受けることができるので、磁性材料６０３をこれらの磁性素子１２３の方に向かって吸着することができる。図示のように、磁性材料６０３は、内部領域６０５を取り囲み、かつこれらの磁性素子１２３に最も近接する内側表面に蓄積するか、または当該内側表面の近傍に蓄積することができる。磁性材料６０３は、容器１００１の一部に沿って、または容器１００１の略全長に沿って、内側表面に蓄積することができる。
【００５５】
次に、図１２を参照するに、当該方法は次に、任意であるが、容器１００１の配置を変えて、或る量の非磁性体６０１を内部領域６０５から、或る量の磁性材料６０３を内部領域６０５内に保持しながら注ぎ出す工程に進むことができる。磁気分離装置１０１の配置は、例えば磁気分離装置１０１を回転させることにより、または逆さまにすることにより変えることができる。磁気分離装置１０１の配置を変える場合、容器はベース１０９に取り付けられているので、容器１００１の配置も変えることができる。容器１００１は、容器１００１がベース１０９に強固に取り付けられているので、配置を変える、回転させる操作などを行なっている間でも、姿勢が一定の状態を保持することができる。従って、姿勢が一定の状態では、磁性材料６０３は、容器１００１の内側表面に吸着されたままの状態を保持することができる。
【００５６】
容器１００１の配置を変える場合、磁性材料６０３は、或る量の非磁性体６０１を容器１００１から開口部１００５を介して注ぎ出すことができながら、容器１００１の内側表面に吸着されたままの状態を保持することができる。所望の材料を含むことができる別の量の非磁性体６０１は、容器１００１内の磁性材料６０３に吸着されたままの状態を保持することができる。このように、或る量の非磁性体６０１が、第２の量の非磁性体が容器１００１の内側表面の磁性材料６０３に吸着されたままの状態で注ぎ出される。或る量の非磁性体６０１を上に説明したように、注ぎ出して受容容器８０１に流入させることができる。次に、図１３を参照するに、当該方法は次に、任意であるが、上に説明したように、或る量の非磁性体６０１を吸着材９０１に付着させる工程に進むことができる。前に説明したように、ユーザは、磁気分離装置１０１を揺動する、叩く、そして／または動かすことにより、余分の量の非磁性体６０１を開口部１００５から注ぎ出し、そして吸着材９０１に付着させることができる。同時に、容器１００１は、容器１００１がベース１０９に強固に取り付けられているので、姿勢が一定の状態を保持することができることにより、磁性材料６０３が、容器１００１の内側表面に吸着されたままの状態を保持することができる。
【００５７】
本明細書において説明されるように、容器５０１，１００１は、磁気分離装置１０１の第１支持部に強固に取り付けることができる。第１支持部は、ベース１０９、キャリッジ１０３、及び／又は当該装置の別の支持部を含むことができることを理解されたい。例えば、容器５０１，１００１がベース１０９に取り付けられる場合、ベース１０９が第１支持部であると考えることができる。別の構成として、容器５０１，１００１がキャリッジ１０３に取り付けられる場合、キャリッジ１０３が第１支持部であると考えることができる。同様に、第１支持部は更に、主支持部２０１及び／又は補助支持部２０３のいずれかを含むことができる。例えば、容器５０１，１００１が主支持部２０１に取り付けられる場合、主支持部２０１が第１支持部であると考えることができる。別の構成として、容器５０１，１００１が補助支持部２０３に取り付けられる場合、補助支持部２０３が第１支持部であると考えることができる。このように、第１支持部は特定の構造に限定されず、容器５０１，１００１を取り付けることができる取り付け先の磁気分離装置１０１の任意の構成部分を含むことができる。
【００５８】
この技術分野の当業者であれば、種々の変形及び変更を、特許請求する本発明の思想及び範囲から逸脱しない限り加えることができることを理解できるであろう。
【符号の説明】
【００５９】
１０１    磁気分離装置
１０３    キャリッジ
１０５    第１表面
１０７    第２表面
１０９    ベース
１１１    支持構造
１１３    第１面
１１５    第２面
１１７    側方支持部材
１１９    中心支持部材
１２１    磁石開口部
１２３    磁性素子
１２５ａ    第１分離軸
１２５ｂ    別の分離軸
２０１    主支持部
２０３    補助支持部
２０５，５０３，１００５    開口部
２０７ａ    第１軸
２０７ｂ    第２軸
３０１    舌部
３０３    溝
３０５    ベース開口部
３０７    中心軸
４０１    脚部
４０３    脚開口部
５０１，１００１    容器
５０５，１００３    ネジ切り部分
５０７    エンドキャップ
５０９    方向
６０１    非磁性体
６０３    磁性材料
６０５    内部領域
８０１    受容容器
９０１    吸着材
【図１】
2014521503.tif 000003
【図２】
2014521503.tif 000004
【図３】
2014521503.tif 000005
【図４】
2014521503.tif 000006
【図５】
2014521503.tif 000007
【図６】
2014521503.tif 000008
【図７】
2014521503.tif 000009
【図８】
2014521503.tif 000010
【図９】
2014521503.tif 000011
【図１０】
2014521503.tif 000012
【図１１】
2014521503.tif 000013
【図１２】
2014521503.tif 000014
【図１３】
2014521503.tif 000015
【国際調査報告】
2014521503.tif 000016
2014521503.tif 000017
2014521503.tif 000018